(57)【特許請求の範囲】
【請求項１】
コンクリート製の多数の縦フレーム及び横フレームをもって格子状に形成した法枠を傾斜地表面に設置した法枠工の表面に、略直立配置の複数の支柱を立設し、該支柱間に縦壁部材を掛け渡して植生用の土壌材を収容する植栽棚を設置し、該植栽棚内に植生を施すようにしてなるコンクリート法枠工緑化装置において、
施工しようとする高さ位置の前記各縦フレームの表面に縦長の支持台を固定し、該支持台には前記支柱の下端を回動自在に枢着させるとともに、該支柱の上端部と支持台上端部との間に間隔規制具を介在させ、該支柱間の上端部及び下端部に跨らせて少なくとも上下一対の横向き線状材を支持させるようにするとともに、該線状材の支柱に対する支持は、各支柱上下の線状材支持位置にそれぞれ一対の線状材支持片を突設させ、該一対の支持片の一方側には上縁から窪ませた線状材嵌合凹部を、他方側には下縁から窪ませた線状材嵌合凹部を備え、該両嵌合凹部に線状材を嵌合させることにより支持させ、該線状材間に網材からなる縦壁部材を支持させたことを特徴としてなるコンクリート法枠工緑化装置。
【請求項２】
上下の線状材を多数の支柱に連続して跨らせて設置し、該線状材の両端を縦向き法枠に貫通させて固定する請求項１に記載のコンクリート法枠工緑化装置。
【発明の詳細な説明】
【発明の属する技術分野】
【０００１】
本発明は、傾斜地の崩落を防止するため、該傾斜地の表面に、場所打ちコンクリート若しくはプレキャストコンクリートブロックにより、格子状のコンクリート製法枠を設置した法枠工の表面を緑化するためのコンクリート法枠工緑化装置に関する。
【０００２】
【従来の技術】
従来、地山が露出した傾斜地の崩落を防止するために、格子状のコンクリート製の法枠を設置する法枠工が広く施工されている。この種の法枠工は格子状の枠内に土砂を充填し、これに草木の苗や種を植えることによって緑化する方法があるが、傾斜の急な場所では地山表面を完全に被覆するように法枠内を吹き付けモルタル又は場所打ちのコンクリートで閉鎖している。
【０００３】
このように傾斜面全体をコンクリートで被覆した法枠工の緑化は、従来、図９に示すように、法枠を構成しているコンクリート製の縦フレーム１及び横フレーム２によって囲まれた適宜の枠内空間３を選択し、平面がコ字状をした囲い壁部材４による植栽桝を設置し、その内部に植栽土を詰めて草木を植える方法や、図１０、図１１に示すように横フレーム２上に一定間隔毎に支柱５を立て、これに支持させて水平方向に連続した配置に縦壁部材６を設置して植栽棚を形成し、その棚内に植栽土を詰めて草木を植える方法が採用されている。
【０００４】
【発明が解決しようとする課題】
しかし上述した従来の各方法では、均一で平らな傾斜面に法枠を設置する場合には法枠によって形成される格子の大きさを一定にすることができるため、上述の植栽桝の設置に際しては、格子状の枠内空間に合わせた大きさの囲い壁部材４を量産し、体裁よく設置することができ、また上述の植栽棚の設置に際しても、枠内空間の横幅寸法に合わせた縦壁部材を量産し、体裁よく設置することができる。
【０００５】
しかし、法枠工を設置する斜面が複雑に湾曲しているような場合には、図１１に示すように法枠を構成している縦フレーム１，１……間の間隔を一定にすることができない場合が多く、この場合には各枠内空間の横幅寸法がまちまちになり、上述した植栽桝を設置する場合には、設置しようとする位置の枠内空間形状に合わせた囲い壁部材を形成する必要があり、量産できずコスト高となる。
【０００６】
一方、上述した従来の植栽棚を、量産した同一形状の縦壁部材を使用して設置しようとすると、図１１に示すように縦壁部材６を壁面の湾曲に対応させることができないため、曲面に対して直線状の縦壁部材６を設置することとなり、縦壁部材6と横フレーム２との間隔が一定とならず、また支柱５を縦フレーム１からずれた位置に立設しなければならなくなり、湾曲した壁面に対してと直線状の縦壁部材が設置されることとなって外観の悪いものとならざるを得ない。
【０００７】
本発明はこのような従来の問題に鑑み、湾曲した壁面に設置され、縦向き枠部材の間隔が一定でない法枠工に対しても横向き法枠に沿った見栄えの良い植栽棚を、量産でき、軽量で施工性の良い部材によって廉価に設置でき、更に高所でとりまわしの悪い作業環境でも作業の安全性が確保し易いコンクリート法枠工緑化装置の提供を目的としたものである。
【０００８】
【課題を解決するための手段】
上述の如き従来の問題を解決し、所期の目的を達成するための本発明の特徴は、コンクリート製の多数の縦フレーム及び横フレームをもって格子状に形成した法枠を傾斜地表面に設置した法枠工の表面に、略直立配置の複数の支柱を立設し、該支柱間に縦壁部材を掛け渡して植生用の土壌材を収容する植栽棚を設置し、該植栽棚内に植生を施すようにしてなるコンクリート法枠工緑化装置において、施工しようとする高さ位置の前記各縦フレームの表面に縦長の支持台を固定し、該支持台には前記支柱の下端を回動自在に枢着させるとともに、該支柱の上端部と支持台上端部との間に間隔規制具を介在させ、該支柱間の上端部及び下端部に跨らせて少なくとも上下一対の横向き線状材を支持させるようにするとともに、該線状材の支柱に対する支持は、各支柱上下の線状材支持位置にそれぞれ一対の線状材支持片を突設させ、該一対の支持片の一方側には上縁から窪ませた線状材嵌合凹部を、他方側には下縁から窪ませた線状材嵌合凹部を備え、該両嵌合凹部に線状材を嵌合させることにより支持させ、該線状材間に網材からなる縦壁部材を支持させたことにある。
【０００９】
尚、上記特徴の装置において、上下の線状材を多数の支柱に連続して跨らせて設置し、該線状材の両端を縦向き法枠に貫通させて固定することが好ましい。
【００１０】
【発明の実施の形態】
次に、本発明の実施の一例を図１〜図８について説明する。
図１〜図４は本発明を実施した装置の一例を示しており、図中１は法枠を構成しているコンクリート製の縦フレーム、２は同横フレームである。この装置では、各縦フレーム１，１……の表面に長手方向を上下に向けて固定した支持台１０と、この支持台１０の下端部に下端を水平方向に向けた軸をもって枢着した支柱１１と、支持台１０及び支柱１１の上端間に介在させた長さ調整金具１２からなる間隔規制具と、各支柱１１，１１……間に跨らせて設置した上下一対の線状材１３ａ，１３ｂと、この線状材１３ａ，１３ｂに支持させて張設した防食性の網材１４からなる縦壁部材とをもって植栽棚を構成している。
【００１１】
このように構成される植栽棚内に、前記網材１４の内側に添わせて不織布等の吸出し防止材１５を設置した後、土壌材ａを充填し、これに草木（図示せず）を植え付けるようにしている。
【００１２】
支持台１０は、図５に示すように、開放部を上側に向けた断面コ字形の金属製チャンネル材を使用しているとともに、支柱１１は、開放部を背面側に向けた断面コ字形に成形されたものを使用し、両者の下端を互いに嵌め合わせ、枢軸を貫通させて互いに枢着させている。
【００１３】
また、支持台１０はそのコ字形断面の底部に、固定具であるコンクリートアンカー１６から突出させたボルト１７を貫通させてナットにより固定している。
【００１４】
長さ調整金具１２の両端の各取り付け金具１２ａを支持台１０上端及び支柱１１の上端に枢支させ、長さ調整金具１２により長さを調節することにより支持台１０と支柱１１との角度を調節し、支持台１０を縦フレームに固定した状態で支柱が直立状態となるようにする。
【００１５】
各支柱１１の上下部の前面には線状材を支持する金具が突設されている。この金具は、図６に示すように、支柱前面両縁に互いに並行配置に突出させた一対の突片１８ａ，１８ｂをもって構成され、この一方の突片１８ａには上縁側から下向きに略突片中央まで窪ませた形状の線状材嵌合凹部１９ａが形成され、他方の突片１８ｂには下縁側から上向きに略突片中央まで窪ませた形状の線状材嵌合凹部１９ａが形成され、各凹部１９ａ，１９ｂの奥部が互いに水平配置となるようになっている。
【００１６】
そして、両突片１８ａ，１８ｂの両凹部１９ａ，１９ｂにワイヤーロープからなる線状材１３ａ又は１３ｂを通すことにより、線状材各に上下前後の力が作用しても外れることがなく、しかも線状材を先端から挿通せずにその中間位置を各線状材嵌合凹部に嵌め込む作業によって線状材の取り付けができる。
【００１７】
また、網材１４の張設は、図７に示すように、前述した上下一対の線状材１３ａ，１３ｂを予め網材１４の上下縁に通して両者を一体化させ、所望の長さにしたものをロール状に巻いて現場に搬入し、これを展開させながら上下の線状材１３ａ，１３ｂを順次支柱１１の突片１８ａ，１８ｂに係合させることにより行う。
【００１８】
各線状材１３ａ，１３ｂの両端は図２に示すように縦フレーム１に貫通させ、ナット２０によって抜け止めした止め金２１に通して折り返し、加締金具２２で止めることにより固定する。
【００１９】
上述のように、法枠の各縦フレーム１に対応させて支柱１１を立設させることにより、図８に示すように、縦フレーム間が均一でない湾曲したコンクリート法枠表面に施工した場合でも、網材１４からなる縦壁部材を縦フレーム１，１間にあわせた長さに設置されることとなる。
【００２０】
尚、上述した植栽棚を構成するための各部材には、防錆被覆等の耐食処理を施した材料又はそれ自体に耐食性を有する材料を使用する。
【００２１】
【発明の効果】
上述したように、本発明に係るコンクリート法枠工緑化装置は、施工しようとする高さ位置の前記各縦フレームの表面に縦長の支持台を固定し、該支持台には前記支柱の下端を回動自在に枢着させるとともに、該支柱の上端部と支持台上端部との間に間隔規制具を介在させ、該支柱間の上端部及び下端部に跨らせて少なくとも上下一対の横向きの線状材を支持させ、該線状材間に網材からなる縦壁部材を支持させることによって植生用の土壌材を収容する植栽棚を設置し、該植栽棚内に植生を施すようにしたことにより、支柱を法枠の間隔が異なる縦フレームに合わせて設置することとした場合にも、各縦フレーム間の間隔に合わせて予め製造しておかなければならない部材がなく、量産した材料を現場に合わせて使用することが可能となり、体裁の良い植栽棚が廉価にて設置でき、高所でとりまわしの悪い作業環境でも作業の安全性が確保しできる。
【００２２】
また、支柱の立設は支持台をコンクリートアンカー等の通常の固定手段により固定することよって簡単に設置でき、植栽棚の設置作業が簡単にできる。
更に、各支柱上下の線状材支持位置にそれぞれ一対の線状材支持片を突設させ、該一対の支持片の一方側には上縁から窪ませ線状材嵌合凹部を、他方側には下縁から窪ませた線状材嵌合凹部を備え、該両嵌合凹部に線状材を嵌合させることにより支持させるようにすることにより、網材を予め線状材に固定した状態で現場に搬入できることなり、現場での手作業が少なくなり、効率よく設置作業ができる。
【００２３】
更に、上下の線状材を多数の支柱に連続して跨らせて設置し、該線状材の両端を縦向き法枠に貫通させて固定することにより、線状材の固定個所が両端のみでよくなり、作業性が良い等の効果がある。
【図面の簡単な説明】
【図１】本発明に係るコンクリート法枠工緑化装置の実施の一例を示す部分正面図である。
【図２】同装置の線状材の端部固定状態を示す正面図である。
【図３】図１中のＡ−Ａ線断面図である。
【図４】同Ｂ−Ｂ線断面図である。
【図５】（ａ）は図１に示す装置における支持台、支柱、間隔規制具部分を示す正面図、（ｂ）は同平面図、（ｃ）は同側面図である。
【図６】図１に示す装置の支柱に対する線状材を支持させるための金具の斜視図である。
【図７】同装置に使用している網材の張設前の状態の斜視図である。
【図８】図１に示す装置を曲面状の法枠工に設置した状態を示す平面図である。
【図９】従来の植栽桝の例を示す斜視図である。
【図１０】従来の植栽棚の例を示す縦断面図である。
【図１１】同上の植栽棚を曲面状の法枠工に実施した状態の斜視図である。
【符号の説明】
ａ  土壌材
１  縦フレーム
２  横フレーム
１０  支持台
１１  支柱
１２  長さ調整金具
１２ａ  取り付け金具
１３ａ，１３ｂ  線状材
１４  網材
１５  吸出し防止材
１６  コンクリートアンカー
１７  ボルト
１８ａ，１８ｂ  突片
１９ａ，１９ｂ  線状材嵌合凹部
２０  ナット
２１  止め金
２２  加締金具
【図１】
0003574846.tif 000002
【図２】
0003574846.tif 000003
【図３】
0003574846.tif 000004
【図４】
0003574846.tif 000005
【図５】
0003574846.tif 000006
【図６】
0003574846.tif 000007
【図７】
0003574846.tif 000008
【図８】
0003574846.tif 000009
【図９】
0003574846.tif 000010
【図１０】
0003574846.tif 000011
【図１１】
0003574846.tif 000012